【事件の表示】
特許第２７９６０３６号「加熱装置の故障管理装置」の請求項１に係る特許に対する特許異議の申立てについて、次のとおり決定する。
【結論】
特許第２７９６０３６号の請求項１に係る特許を維持する。
【理由】
（１）手続の経緯
　特許第２７９６０３６号に係る発明についての出願は、平成５年４月２７日に出願され、平成１０年６月２６日にその発明について特許の設定登録がなされ、その後、特許異議申立人　梅田誠　より本件請求項１に係る発明に対して特許異議の申立てがなされたものである。
（２）本件請求項１に係る発明
　本件請求項１に係る発明は、その特許請求の範囲の請求項１に記載された次の事項により特定されるとおりのものである。
　「加熱装置の作動状態を検出するセンサと、該加熱装置を作動させるアクチュエー夕と、前記センサの検出信号を受けて前記アクチュエー夕を制御する制御手段と、該加熱装置の異常発生の有無及びその異常内容を把握・監視する監視手段とを備えた加熱装置の故障管理装置であって、異常が発生したとき、前記監視手段により把握された異常内容と、該異常発生時に前記制御手段により把握された前記センサの出力値及び前記アクチュエー夕の作動状態を含む運転状態情報との両者を対応させて記憶保持する記憶手段と、該記憶手段に記憶保持された前記異常内容及び運転状態情報のうち、該異常内容を表示する異常内容表示手段と、所定の操作により、前記記憶手段に保持保持された前記異常内容及び運転状態情報の両者を読み出し、その両者のうち前記異常内容を前記異常内容表示手段に表示せしめると共に、その表示した異常内容に対応する前記運転状態情報を外部に出力する表示制御手段とを加熱装置に備え、前記表示制御手段により出力された前記運転状態情報を表示する運転状態情報表示手段を前記加熱装置の外部に携帯可能に設けた故障管理外部機器に備えたことを特徴とする加熱装置の故障管理装置。」
（３）特許異議申立ての概要
　特許異議申立人　梅田誠　は、本件請求項１に係る発明は、甲第１号証（実願平３−５３００７号（実開平４−１３８５４８号）のマイクロフィルム。）、甲第２号証（特開平５−５６３３号公報）をもとに容易に発明をすることができたものであり、特許法第２９条第２項の規定により特許を受けることができないものであるから、本件請求項１に係る発明の特許は、特許法第１１３条第２号に該当するものと認められるので、取り消されるべきものである旨主張している。
（４）特許異議申立人が提出した甲各号証記載の発明
　ｉ．甲第１号証（実願平３−５３００７号（実開平４−１３８５４８号）のマイクロフィルム。）には、図面とともに、給湯器や風呂釜等の燃焼機器の修理点検時に機器の動作状態や故障個所を画面に表示させる燃焼機器のモニター装置に関して、「燃焼機器の制御装置とそのリモコンの少なくとも一方に着脱自在に信号接続されるモニタ装置であって、該モニタ装置は、前記制御装置が有しているデータの読み出し表示指令と、制御装置が有しているデータ補正指令と、燃焼機器の故障表示指令とを行う指令入力部と、前記制御装置と直接的に又はリモコンを介して間接的に信号の送受を行う通信部と、燃焼機器の構造図を記憶するメモリと、指令入力操作部の入力指令に応じて前記制御装置から読み出されるデータの表示とメモリに記憶されている燃焼機器の構造図の表示を行う表示部と、指令入力操作部から故障表示指令が入力されたときに制御装置側から加えられる燃焼機器の故障判断信号に基づいて故障個所をモニタ表示画面に表示される燃焼機器の構造図中に図示表示させる故障個所指示部とを有する燃焼機器のモニタ装置。」（実用新案登録請求の範囲の請求項１）であること、「従来の装置は、燃焼機器の故障を記号によって識別表示するものであるため、故障修理を行う作業者は表示されている記号を見て直ちに故障の部品等がわからず、表示されている記号と部品との対応表をまず見てから何の部品が故障しているかを把握しなければならないという面倒があった。また、対応表により故障部品がわかったとしても、その故障部品が燃焼機器のどの場所に配置されているかが直ちにはわからず、故障修理のマニュアルを参照してその故障を探し当てなければならず、故障修理を行う上で手間暇がかかり、迅速に対応することができないという問題があった。」（段落【０００３】、【０００４】）こと、「指令入力操作部で故障表示指令を行うと、燃焼機器の制御装置によって判断された故障判断信号の情報に基づいて故障の部品とその配置場所を把握し、表示部に表示した燃焼機器の構造図中に故障個所を図示によって表示する。」（段落【００１０】）こと、「給湯器、風呂釜および暖房器等の燃焼装置には各部品の動作やその他の動作状態を検出する複数のセンサ１が設けられており、これらのセンサ１の検出信号は燃焼機器の制御装置２に加えられている。この制御装置２は機器制御部３と、故障判断部４と、データ補正部５と、メモリ６，７と、通信部８とを有している。機器制御部３は各センサ１からの信号を受けて燃焼機器のファン、熱交換器のバーナおよび供給ガス量を制御する比例弁等の駆動装置１０の動作制御を行うとともに、各センサ１から加えられる信号を故障判断部４に加える。」（段落【００１４】）こと、「故障判断部はセンサ１の検出信号を受けて例えば注湯湯温、給水温度、外気温等の取り込み情報をメモリ６の所定の番地に記憶させる。また、故障判断部４は前記各種センサ１の信号を受けてセンサ信号に異常があるときには故障状態と判断し、その故障コードによって識別し、その故障情報（故障判断信号）をメモリ７に記憶する。」（段落【００１５】）こと、「リモコン１２は操作部１３と、表示部１４と、指令部１５と、通信部１６とを有する。操作部１３は燃焼機器に例えば給湯動作、湯張り動作、追い焚き動作等の動作指令や出湯温度等の設定を行う。指令部１５は操作部１３の指令信号を受けてその信号を制御装置２や表示部１４に分配供給する。通信部１６は制御装置２側の通信部８およびモニタ装置１７側の通信部２０と信号マッチングを行い、制御装置２およびモニタ装置１７と、リモコン１２との通信を行う。表示部１４は燃焼機器の動作状態や給湯温度等の設定値をパネル表示面を開いて表示する。」（段落【００１７］、【００１８】）こと、「モニタ装置１７は表示部１８と、通信部２０と、動作指令部２１と、指令入力操作部２２と、故障個所指示部２４と、メモリ２３とを有している。指令入力操作部２２は、図２に示すように、モニタ装置１７のパネル面に設けられるもので、指令操作を行うための押ボタンと、燃焼機器の型式を入力する押ボタンと、補正値等の数値を入力する数値キー等の各種ボタンやキーを備えており、これらのボタンやキー操作により、制御装置２が有しているデータ、つまり、メモリ７に記憶されている故障の情報やメモリ６に記憶されている各種センサ１の取り込みデータの読み出し表示指令と、制御装置２のメモリ６に記憶されている取り込みデータの補正指令と、燃焼機器の故障表示指令とを行うことができるようになっている。」（段落【００１９】）こと、「動作指令部２１は指令入力操作部２２から入力されれた指令に応じ表示部１８、メモリ２３および故障個所指令部２４に動作指令を行うとともに、その指令に応じて通信部２０およびリモコン１２を介して燃焼機器の制御装置２と通信を行う。」（段落【００２０】）こと、「メモリ２３はメモリ部２３ａと参照部２３ｂを有し、メモリ部２３ａは各型式の燃焼機器の構造図を記憶する。図４は給湯器付風呂釜の一例を示したもので、燃焼機器がこの給湯器付風呂釜の場合には図４に示す構造図がメモリ部２３ａに記憶される。なお、図４中、２５は浴槽、２６は風呂釜、２７は風呂バーナ、２８は水位センサ、２９は追い焚き熱交換器、３０は給湯熱交換器、３１は給湯バーナをそれぞれ示してい釜の構造図中の各部品の位置に故障マークがそれぞれ重ね書きされている。参照部２３ｂは燃焼機器の型式コードとその型式の燃焼機器の構造図が書き込み記憶されているメモリ部２３ａ中の番地との参照表を内蔵する。」（段落【００２１】）こと、「故障個所指示部２４は、燃焼機器の各部品の故障コードと、各部品に重ね書きされている故障マークの番地との対照表を備えており、燃焼機器の制御装置２側から故障判断信号（故障コード）が加えられたときに、その故障コードに対応する故障マークの番地を表示部１８に加える。」（段落【００２２】）こと、「表示部１８は指令入力操作部２２の指令に応じて燃焼機器の故障個所の図示表示や、制御装置２がメモリ６に有している情報の表示や、指令入力操作部２２で入力される補正値等の表示を行う。」（段落【００２３】）こと、「家庭で使用されている燃焼機器の故障点検を行うときには、モニタ装置１７を持参し、コネクタが付いている接続線３３を用いてモニタ装置１７をリモコン１２に着脱自在に装着する。これにより、モニタ装置１７はリモコン１２を介して燃焼機器の制御装置２に間接的に接続されて通信可能状態となる。この状態で、指令入力操作部２２で、燃焼機器の型式を指示して故障表示指令を行うと、この指令は動作指令部２１を介して故障介して制御装置２に加えられる。メモリ２３は参照部２３ｂで指示された燃焼機器の型式コードに基づいて故障点検される燃焼機器の構造図を探し出し、この構造図を表示部１８に送って図３に示すように、モニタ画面１８ａに表示させる。」（段落【００２４】）こと、「一方、故障表示指令が制御装置２に加えられることで、メモリ７に記憶されている故障情報、つまり、故障コードが読み出されて故障個所指示部２４に加えられる。例えば、燃焼機器の水位センサ２８のセンサ信号が異常のときには故障判断部４によって水位センサ２８が故障したものと判断され、その水位センサのコードが故障コードとしてメモリ７に記憶されることとなり、このメモリ７から水位センサのコードが故障コードとして故障個所指示部２４に加えられるのである。」（段落【００２５】）こと、「故障個所指示部２４はその故障コードからそれに対応する故障マークを検知する。上記例では水位センサに付した故障マークの番地が検知され、その故障マークの番地信号が表示部１８に加えられる。表示部１８は燃焼機器の構造図中にその故障位置の故障マーク３２に点灯あるいは点滅の状態で図３に示すように水位センサ２８の故障を報知する。本実施例ではそれとともに、異常が水位センサであること、その水位センサの現在出力が例えば５．０００Ｖであること、またその水位センサの正常時の規定値が２．０００〜３．０００Ｖであることも同時に文字によって表示している。」（段落【００２６】）こと、「故障修理の作業者はこの故障表示を一見するだけで故障部品が水位センサであること、およびその水位センサの取り付け位置がどの場所にあるかも直ちにわかり、その故障修理を迅速に行うことができる。」（段落【００２６】）こと、「モニタ装置１７をリモコン１２に接続したが、これを燃焼機器の制御装置２に直接接続するようにしてもよい。」（段落【００３２】）こと、が記載されている。
　ｉｉ．甲第２号証（特開平５−５６３３号公報）には、図面とともに、故障解析のために用いられる異常情報記録装置を給湯機に適用したものに関して、「機器の作動状態を表す複数の状態信号について検査することにより、予め設定した許容範囲から外れている場合に異常検出を行うとともに機器の停止制御を行う制御部を備えた機器において、前記機器の状態信号を受けてそれぞれ記録することが可能な記録部と、上記機器から異常検出信号を受けた時に、その時の状態信号を異常検出がされなかった他の状態信号をも含めてともに上記記録部に記録する記録制御手段とを備えてことを特徴とする異常情報記録装置。」（特許請求の範囲の請求項１）であること、「故障監視に係る機器１としての給湯機は、発熱部１ａ、熱交換部１ｂ、流量調節部１０等を備え、それらの作動状態を表す複数の状態信号について検査することにより、予め設定した許容範囲から外れているいる場合に異常検出を行うとともに機器の停止制御を行う制御部１ｄを備える。」（段落【０００８】）こと、「制御部１ｄは、比較監視部１ｅ、機器指令部１ｆ、入力操作部１ｇ等に接続して、かつ、発熱部１ａ、熱交換部１ｂ、流量調節部１ｃ等に設けられたセンサ出力を監視しつつ、入力操作部１ｇから入力された要求に添うべく、機器指令部１ｆに作用する。」（段落【０００９】）こと、「第１実施に係る異常情報記録装置２は、機器の状態信号を受けてそれぞれ記録することが可能な記録部３と、その機器異常検出信号を受けた時に、その時の状態信号を異常検出がされなかった他の状態信号をも含めて共に上記記録部３に記録する記録制御手段４とを備える。」（段落【００１０】）こと、「機器１の状態信号は、具体的には、サーミスタ温度、火炎検知、ハイリミットバイメタル、ファン設定回転数、ファン検出回転数、燃焼号数、排ガス温度、点火／燃焼の動作モード、ガス比例制御弁開度等の発熱部に関する情報、入水温度、設定温度、出湯温度、瞬間流量、ポンプ回転数等の被加熱側の温水に関する情報等である。」（段落【００１２】）こと、「第２実施例に係る異常情報記録装置２は、機器１の状態信号を受けて所定時間分の信号について記録が可能な図１の記録部３と、上記所定時間の経過後は最も古い記録から順次更新し、上記機器１が発する機器異常検出信号を受けた時は記録を停止し、上記異常検出の時までの所定時間分の最新の信号について記録を行う記録制御手段５とを備える。」（段落【００１７】）こと、「第３実施例に係る異常情報記録装置２は、機器１の状態信号を受けてこの状態信号と経過時間情報とを順次記録可能な図１の記録部３と、その信号に変動があった時にその時の経過時間情報と状態変動後の状態信号とを組にして上記記録部３に記録を行う記録制御手段６を備える。」（段落【００２２】）こと、が記載されている。
（５）対比・判断
　そこで本件請求項１に係る発明と甲第１号証に記載されたものとを対比し、検討する。
　甲第１号証に記載された燃焼機器は、給湯器、風呂釜、暖房機器等を対象とし、その燃焼機器の修理点検時に動作状態や故障個所を知るものであるから、加熱装置の故障管理装置と解することができる。そして、甲第１号証に記載されている、駆動装置１０は、燃焼機器のファン、熱交換器のバーナおよび供給ガス量を制御する比例弁等の動作制御を行うものであるから、アクチュエータに相当し、各種センサ１は、燃焼装置の各部品の動作やその他の動作状態を検出するものであるから、アクチュエー夕の作動状態を含む運転状態情報を検出するセンサということができる。
　したがって、両者は、加熱装置に異常が発生した時に点検や保守、修理の容易化を図ることで共通し、甲第１号証に記載された「燃焼機器」、「各部品の動作やその他の動作状態を検出する複数のセンサ１」、「燃焼機器のファン、熱交換器のバーナおよび供給ガス量を制御する比例弁等の駆動装置１０」、「各センサ１からの信号を受けて駆動装置１０の動作制御する機器制御部３」、「各種センサ１の信号を受けてセンサ信号に異常があるときには故障状態と判断する故障判断部４」、「制御装置２が有しているデータ、つまり、異常時の故障の情報を記憶しているメモリ７や各種センサ１の取り込みデータを記憶しているメモリ６」、「指令入力操作部２２の各種ボタンやキー操作により、メモリ７に記憶されている故障の情報やメモリ６に記憶されている各種センサ１の取り込みデータを読み出して表示する表示部１８」、「燃焼機器の故障点検するときに持参し、通信部を介して燃焼機器本体或いはリモコン１２と接続し、各種センサ１の取り込みデータを表示する表示部１８を有するモニタ装置１７」は、その機能に照らして本件請求項１に係る発明の「加熱装置」、「加熱装置の作動状態を検出するセンサ」、「加熱装置を作動させるアクチュエータ」、「センサの検出信号を受けてアクチュエー夕を制御する制御手段」、「加熱装置の異常発生の有無を把握・監視する監視手段」、「異常が発生したとき、異常発生時に制御手段により把握されたセンサの出力値及びアクチュエー夕の作動状態を含む運転状態情報を記憶保持する記憶手段」、「所定の操作により、記憶手段に記憶保持された運転状態情報を読み出し、運転状態情報を外部に出力する表示制御手段」、「表示制御手段により出力された運転状態情報を表示する運転状態情報表示手段を加熱装置の外部に携帯可能に設けた故障管理用外部機器」、に相当するから、両者は、
「加熱装置の作動状態を検出するセンサと、該加熱装置を作動させるアクチュエー夕と、前記センサの検出信号を受けて前記アクチュエー夕を制御する制御手段と、該加熱装置の異常発生の有無を把握・監視する監視手段とを備えた加熱装置の故障管理装置であって、異常が発生したとき、該異常発生時に前記制御手段により把握された前記センサの出力値及び前記アクチュエー夕の作動状態を含む運転状態情報を記憶保持する記憶保持手段と、所定の操作により、前記記憶手段に記憶保持された運転状態情報を読み出し、運転状態情報を外部に出力する表示制御手段を備え、運転状態情報を表示する運転状態情報表示手段を前記加熱装置の外部に携帯可能に設けた故障管理用外部機器に備えたことを特徴とする加熱装置の故障管理装置。」であることでは一致している。
　しかし、
　▲１▼本件請求項１に係る発明の構成要件である「異常内容」を特許明細書の記載を参酌して検討すると、「例えば、給湯器やガス暖房器等の燃焼装置においては、通常、燃焼部の失火を検知する失火検知センサが設けられ、該センサにより失火が検知されると、コントローラの指示により装置の運転が停止されると共に、失火が生じたことを示す表示が前記表示器によりなされる。」（段落【０００４】）こと、「すなわち、例えば燃焼装置において、失火という異常が発生した場合、その失火の原因としては、失火検知センサの異常、燃焼ファンの異常、燃焼部に燃料を供給するための燃料供給路における電磁弁や比例弁の異常、該電磁弁等を駆動するための回路の異常、燃料切れ等の種々の原因があり、その原因によって、点検や、保守、修理を行うべき部位が異なる。そして、このような各種の原因は、失火の発生という異常内容だけでは、特定することができない。」（段落【０００７】）こと、「そして、該制御回路部２０は、何等かの異常が発生した場合に、給湯器の作動を停止せしめると共に、その異常内容を示すエラーコード等を異常内容表示手段としての前記表示器１９に表示せしめるようにしている。例えば、フレームロッド８を介してガスバーナ１の失火が検知された場合には、制御回路部２０は、給湯器の作動を停止せしめると共に、その失火が発生したことを示すエラーコード等を表示器１９に表示せしめるようにしている。」（段落【００２７】）こと、「点火時において、何等かの原因により、ガスバーナ１の点火がしないと、これが前記フレームロッド８を介して前記制御回路部２０により検知され、この時、該制御回路部２０は点火不良という異常内容と、その時の前記各センサの出力及び各アクチュエー夕の作動状態を示す運転状態情報とをＥＥＰＲＯＭ２１に記憶保持させる。」（段落【００４６】）こと、「この場合、点火不良の原因としては、燃焼ファン１３の作動不良、電磁弁１０やその駆動回路（図示しない）の作動、ガス比例弁１１やその１駆動回路（図示しない９の作動不良、ガスバーナ１へのガス供給不良、制御ユニット１５の各種電子回路の作動不良等の原因が挙げられる。」（段落【００４７】）こと、の記載がされていることから、加熱装置の失火とか点火不良とかという異常が発生したときの状態を「異常内容」と称していることが理解でき、その異常内容を表示手段にエラーコードとして表示して、その時の運転状態情報に基き、原因を究明するものであるのに対して、甲第１号証に記載されている「故障情報（故障判断信号）」は、上記した段落【０００３】、【０００４】、【００１５】、【００２２】、【００２５】の記載事項を参酌すれば、センサ信号が異常なときには、そのセンサが故障しているものと判断して、そのセンサ部品の故障コードを云っているから、既に、この故障コードを故障個所指示部に加え、その故障コードに対応する故障マークを表示された時点において、故障した部品は分かっているものと云える。したがって、本件請求項１に係る発明の「異常内容」と甲第１号証記載の「故障情報（故障判断信号）」とでは、その情報内容が全く相違するものである。
　また、甲第２号証に記載されたものも異常検出信号を受けた時に、その時の状態信号を異常検出がされなかった他の状態信号を含めて記録するものであるから、異常検出信号は、検出信号そのものであり、これは、本件請求項１に係る発明の運転状態情報に対応するものであり、本件請求項１に係る発明の「異常内容」に相当し得るものは記載されていない。また、
　▲２▼本件請求項１に係る発明においては、異常が発生したとき、異常内容と運転状態情報とを対応させて記憶手段に記憶保持するものであるが、上記したように「異常内容」についての構成が、甲第１号証及び甲第２号証には記載されていないし、甲第１号証に記載されたメモリ６，７の記憶報相互間において対応して記憶させるとの記載もなく、本件請求項１に係る発明のような態様で記憶保持することについての記載も示唆もされていない。また、甲第２号証には、記録情報についての記載があるだけで、記憶手段の構成は示されていない。
　▲３▼本件請求項１に係る発明においては、記憶手段に記憶保持された異常内容及び運転状態情報のうち異常内容を加熱装置の異常内容表示手段に表示し、運転状態情報を携帯可能な故障管理用外部機器の運転状態情報表示手段に表示するようにしたものであり、上記したように本件請求項１に係る発明の「異常内容」についての構成は、甲第１号証及び甲第２号証には記載されていないし、甲第１号証に記載されたリモコン１２の表示部１４に表示される情報とモニタ装置１７の表示部１８に表示される情報とにどのよな違いがあるのか明瞭に示されておらず、本件請求項１に係る発明のような加熱装置の情報を、加熱装置と故障管理用外部機器とに表示する表示手段が、甲第１号証には記載がされているとは云えない。また、甲第２号証には、携帯可能な故障管理用外部機器の記載も示唆もされていない。
　以上のとおり、本件請求項１に係る発明は、特許異議申立人が提出した甲第１号証及び甲第２号証に記載された発明から当業者が容易に発明することができたものとすることはできない。
（６）特許異議申立人の主張
　特許異議申立人は、甲第１号証に記載された記載の「故障情報（故障判断信号）」は、本件請求項１に係る発明の「異常内容」に相当すると主張しているが、上記したように両者の内容は全く異なるものであり、特許異議申立人の主張は採用できない。また、甲第２号証に記載された「異常表示部２ａ」に表示されるものは、異常発生時の状態信号を表示するものであり、その状態信号とは、サーミスタ温度、火炎検知、ハイリミットバイメタル、ファン設定回転数、ファン検出回転数、燃焼号数、排ガス温度、点火／燃焼の動作モード、ガス比例制御弁開度等の発熱部に関する情報、入水温度、設定温度、出湯温度、瞬間流量、ポンプ回転数等の被加熱側の温水に関する情報等であり、これら情報は、本件請求項１に係る発明の運転状態情報に相当するものであって、本件請求項１に係る発明でいう「異常内容」とは全く異なるものである。したがって、甲第２号証には、異常内容と運転状態情報とを対応して記憶保持したものが記載されているとした特許異議申立人の主張は、採用することができない。
（７）むすび
　したがって、特許異議申立ての理由及び証拠によっては、本件請求項１に係る発明の特許を取り消すことはできない。
　また、他に本件請求項１に係る発明についての特許を取り消すべき理由を発見しない。
　よって、結論のとおり決定する。
【異議決定日】
平成１１年７月２７日（１９９９．７．２７）